(57)【要約】【課題】無線通信において接続先の機器を選択するための利便性を向上することが可能な撮像装置を提供すること。【解決手段】外部機器と無線で通信するための無線通信手段（１０２）と、自機を無線通信の主装置としてネットワークを構築するための設定情報を生成する手段（１２３）とを備える撮影装置（１００）において、自機を識別するための自機識別情報を設定する手段（１１５，１２２，１２３）と、前記自機識別情報を記憶する手段（１１８）と、前記自機識別情報が記憶されているか否かを判定する判定手段（１２３）と、前記判定手段の結果に応じて前記自機識別情報から無線通信用の識別子を生成する無線通信用識別手段（１２３）と、前記生成した無線通信用の識別子ＳＳＩＤに基づいて無線ネットワークを構築する手段（１０２、１２３）を有することを特徴とする構成とした。【選択図】  図１
2014023077.tif 000002
【特許請求の範囲】
【請求項１】
外部機器と無線で通信するための無線通信手段（１０２）と、自機を無線通信の主装置としてネットワークを構築するための設定情報を生成する手段（１２３）とを備える撮影装置（１００）において、
自機を識別するための自機識別情報を設定する手段（１１５，１２２，１２３）と、前記自機識別情報を記憶する手段（１１８）と、前記自機識別情報が記憶されているか否かを判定する判定手段（１２３）と、前記判定手段の結果に応じて前記自機識別情報から無線通信用の識別子を生成する無線通信用識別手段（１２３）と、前記生成した無線通信用の識別子ＳＳＩＤに基づいて無線ネットワークを構築する手段（１０２、１２３）を有することを特徴とする撮像装置。
【請求項２】
前記自機識別情報とはニックネームであることを特徴とする請求項１に記載の撮像装置。
【請求項３】
外部機器と無線で通信するための無線通信手段（１０２）と、自機を無線通信の主装置としてネットワークを構築するための設定情報を生成する手段（１２３）とを備える撮影装置（１００）において、
自機を識別するための自機識別情報を設定する手段（１１５，１２２，１２３）と、前記自機識別情報を記憶する記憶手段（１１８）と、前記記憶手段に記憶された前記自機識別情報を画像データに付加する手段（１２３）と前記自機識別情報が記憶されているか否かを判定する判定手段（１２３）と、前記判定手段の結果に応じて前記自機識別情報から無線通信用の識別子を生成する無線通信用識別手段（１２３）と、前記生成した無線通信用の識別子ＳＳＩＤに基づいて無線ネットワークを構築する手段（１０２、１２３）を有することを特徴とする撮像装置。
【請求項４】
前記自機識別情報とは撮像装置１００の所有者を示す所有者情報であることを特徴とする請求項３に記載の撮像装置。
【請求項５】
前記自機識別情報とは画像データの著作権者を示す著作権情報であることを特徴とする請求項４に記載の撮像装置。
【発明の詳細な説明】
【技術分野】
【０００１】
本発明は、無線通信機能を搭載した撮像装置及びその方法に関し、特に無線接続を容易にするための設定及び表示に関する。
【背景技術】
【０００２】
近年、通信機能を備えたデジタルカメラにより撮影した画像データを、通信機能を備えた情報機器に無線通信を用いて転送する等、デジタルカメラと情報機器を協調して動作させることで、画像データを共有するシステムを構築することが可能となっている。
【０００３】
また、デジタルカメラと情報機器とが無線ＬＡＮを用いて無線通信を行う場合、アクセスポイントを経由したインフラストラクチャモードではなく、利便性を高めるため、アドホックモードやデジタルカメラがアクセスポイント機能を搭載することでデジタルカメラと情報機器とが一対一の通信が出来るような無線ＬＡＮを構築することが可能となっている。
【０００４】
しかし、ＩＥＥＥ８０２．１１シリーズの無線ＬＡＮにて通信するには無線ＬＡＮのネットワーク識別子としてＳＳＩＤ（Ｓｅｒｖｉｃｅ  Ｓｅｔ  Ｉｄｅｎｔｉｆｌｅｒ）を通信機器毎に設定する必要がある。そのＳＳＩＤ設定方法として、通信機器に設定されるＭＡＣアドレスを利用するものがある（特許文献１参照）。
【先行技術文献】
【特許文献】
【０００５】
【特許文献１】特開２０１１−２２４０７０号公報
【発明の概要】
【発明が解決しようとする課題】
【０００６】
例えば、デジタルカメラが無線ＬＡＮの親機とした場合、情報機器がデジタルカメラと無線通信するためには、デジタルカメラと同じＳＳＩＤを設定する必要がある。この場合、情報機器は他の無線ＬＡＮ機器を探索することで、検索した複数の無線ＬＡＮ機器から接続したいデジタルカメラのＳＳＩＤを見つけることが必要である。
【０００７】
しかしながら、上述の特許文献に開示された従来技術では、ＳＳＩＤは機器の数字の羅列であるＭＡＣアドレスを利用したものであるため人には可読性が低く、ＳＳＩＤを検索接続したい機器を一目で見つけることは難しい。
【０００８】
そこで、本発明の目的は、無線通信において接続先の機器を選択するための利便性を向上することが可能な撮像装置を提供することである。
【課題を解決するための手段】
【０００９】
上記目的を達成するために、本発明は、外部機器と無線で通信するための無線通信手段（１０２）と、自機を無線通信の主装置としてネットワークを構築するための設定情報を生成する手段（１２３）とを備える撮影装置（１００）において、
自機を識別するための自機識別情報を設定する手段（１１５，１２２，１２３）と、前記自機識別情報を記憶する手段（１１８）と、前記自機識別情報が記憶されているか否かを判定する判定手段（１２３）と、前記判定手段の結果に応じて前記自機識別情報から無線通信用の識別子を生成する無線通信用識別手段（１２３）と、前記生成した無線通信用の識別子ＳＳＩＤに基づいて無線ネットワークを構築する手段（１０２、１２３）を有することを特徴とする。
【００１０】
また、外部機器と無線で通信するための無線通信手段（１０２）と、自機を無線通信の主装置としてネットワークを構築するための設定情報を生成する手段（１２３）とを備える撮影装置（１００）において、
自機を識別するための自機識別情報を設定する手段（１１５，１２２，１２３）と、前記自機識別情報を記憶する記憶手段（１１８）と、前記記憶手段に記憶された前記自機識別情報を画像データに付加する手段（１２３）と前記自機識別情報が記憶されているか否かを判定する判定手段（１２３）と、前記判定手段の結果に応じて前記自機識別情報から無線通信用の識別子を生成する無線通信用識別手段（１２３）と、前記生成した無線通信用の識別子ＳＳＩＤに基づいて無線ネットワークを構築する手段（１０２、１２３）を有することを特徴とする。
【発明の効果】
【００１１】
本発明によれば、無線通信において接続先の機器を選択するための利便性を向上することが可能な撮像装置を提供することができる。
【図面の簡単な説明】
【００１２】
【図１】本発明の第一の実施形態における撮像装置の機能的構成を示すブロック図
【図２】本発明の第一の実施形態におけるシステム構成を示す図
【図３】本発明の第一の実施形態におけるニックネームの設定画面を示す図
【図４】本発明の第一の実施形態における無線ＬＡＮの接続設定画面を示す図
【図５】本発明の第一の実施形態における無線ＬＡＮの接続設定を示すフローチャート
【図６】（ａ）は撮像装置にて撮影された画像データの構成の一例を示す図、（ｂ）はメタデータの一例を示す図
【図７】（ａ）は所有者情報、著作権情報の登録メニューを示す図、（ｂ）はカメラ所有者名の登録メニューの画面を示す図
【図８】無線ＬＡＮの接続設定のフローチャート
【発明を実施するための形態】
【００１３】
以下に、本発明の好ましい実施の形態を、添付の図面に基づいて詳細に説明する。図１は、本発明の実施形態にかかわる撮像装置である。
【実施例１】
【００１４】
図１は、デジタルカメラ等の撮像装置本体１００の構成を示す概略ブロック図である。
【００１５】
１２３は、撮像装置本体の制御を行うメインのマイクロコンピュータ（以下、メインマイコンと記す）であり、電源制御、スイッチ制御、レンズ制御、測光、測距制御、シャッター制御、無線通信通の制御等を行う。
【００１６】
メインマイコン１２３には、電源回路１１９、レリーズの開始を２段ストロークで指示するレリーズボタンＳＷ１，ＳＷ２、後述するＧＵＩ（グラフィカル・ユーザ・インターフェース）を操作するメニューボタンなどのスイッチアレイである操作部材１２２、発振回路１２５、無線通信回路１０２、焦点検出回路１０３、測光回路１０４、ＬＣＤ駆動回路１０５、ミラー制御回路１０７、シャッター制御回路１０８、モータ制御回路１０９、画像処理エンジン１２４等が接続されている。また、交換可能な撮影レンズとはレンズ内に配置されたレンズ制御回路を行うマイクロコンピュータであるレンズマイコン１２６とマウント接点を介して信号の伝達がなされる。無線通信回路１０２は、ＩＥＥＥ８０２．１１ｂ、ＩＥＥＥ８０２．１１ｇ等の無線ＬＡＮを制御する回路である。
【００１７】
焦点検出回路１０３はメインマイコン１２３の信号に従い、測距センサの蓄積制御と読み出し制御を行って、ぞれぞれの画素情報をメインマイコン１２３に出力し、周知の位相差検出法による焦点検出を行う。メインマイコン１２３は焦点検出情報により、レンズマイコン１２６と信号のやりとりを行うことによりレンズの焦点調節（ＡＦ）を行う。
【００１８】
測光回路１０４は被写体の輝度信号として、測光センサからの輝度信号出力をメインマイコン１２３に出力し周知の絞り値の演算とシャッタースピードの演算などの露出演算を行う（ＡＥ）。
【００１９】
シャッター制御回路１０８は、メインマイコン１２３からの信号に従って、フォーカルプレンシャッターを構成する２つのシャッター駆動マグネットを制御し、シャッター幕を走行させ、露光動作を担っている。
【００２０】
ＳＷ１はレリーズ釦の第１ストロークでオンし、ＡＥ、ＡＦを開始するスイッチとなる。ＳＷ２はレリーズ釦の第２ストロークでオンし、露光動作を開始するスイッチとなる。ＳＷ１、ＳＷ２及びその他カメラの操作部材からの信号は、メインマイコン１２３が検知する。
【００２１】
ＬＣＤ駆動回路１０５はファインダ内ＬＣＤ１０６をメインマイコン１２３からの信号に従って制御している。
【００２２】
画像処理エンジン１２４は、主にデジタル画像処理を行うプロセッサであり、メインマイコン１２３と協調して各種制御を行う。画像処理エンジン１２４は、タイミングジェネレータ（ＴＧ）１１２を介して撮像センサ１１１の蓄積制御、読み出し制御を行う。読み出された画像信号はＡＤコンバータ１１３によりアナログ＝デジタル変換され、既知の色補完処理やホワイトバランス処理、ガンマ処理等の現像処理が行われ、最終的にＪＰＥＧ等のデジタル画像データに変換され揮発性メモリであるＤＲＡＭ１１７に一時保存される。さらに、表示装置１１５にクイックレビュー表示され、画像データはファイルとして記録媒体１１６へ記録される。
【００２３】
表示装置１１５には、ユーザが操作することで撮像装置１００の設定を行うためメニュー画面も表示され、操作部材１１２を用いて撮像装置の各種設定、及び本実施形で説明する無線ＬＡＮの設定を行うことが可能なように構成されている。１１８は、各種データや、上記撮像装置を制御するためのプログラムが記録可能な不揮発性メモリである。
【００２４】
また、撮像装置１００は、無線通信回路１０２を用いて他の撮影装置やネットワーク上の通信装置と通信を行うことが可能である。本実施形態の撮像装置は、他の撮影装置や情報装置とは無線ＬＡＮで接続される。
【００２５】
図２は、本実施形におけるシステムの構成を説明する図である。図２（ａ）は、撮像装置１００と携帯型の情報装置２００が無線通信を介して無線ＬＡＮを構築する場合を示している。本実施形では、撮像装置１００にて撮影された画像データは、情報装置２００にから無線通信を介して、情報装置２００に組み込まれた閲覧ソフトを用いて閲覧可能なように構成されている。なお、本実施形態では、撮像装置１００の接続先として情報装置２００の場合について説明するが、接続先として撮像装置１００と同様の撮像装置であってもよい。この場合、撮像装置間で画像データをお互いに送受信するようなシステムが考えられる。
【００２６】
ここで、撮像装置１００と情報装置２００が無線ＬＡＮにて接続するためには、それぞれの装置が無線通信回路を有しているだけでは通信を行うことは出来ず、無線通信を行うための設定を行う必要があり、通常は以下の設定が必要となる。無線ＬＡＮのネットワーク識別子であるＳＳＩＤ、漏えい防止のための暗号設定、チャネル等の設定である。また通信方式としてインフラストラクチャ―モード、アドホックモード、あるいは本実施形で説明するが撮像装置１００がアクセスポイントとして動作するモードのいずれを利用するかの各種設定が必要となる。
【００２７】
本実施形では、撮像装置１００を識別するために撮像装置１００に対してニックネームを設定、記憶することが可能である。この撮像装置を識別するためのニックネームとは、ユーザによる可読性が高く、ネットワーク上で撮像装置を識別するための識別情報で、本実施形では、撮像装置１００の接続先となる情報装置２００上で、撮像装置１００を認識するために使用されるものである。通常はネットワーク上では個々の機器は、一意なＭＡＣアドレスによって識別されている。しかし、ユーザが個々の機器をＭＡＣアドレスによって認識するのは現実的ではない。そこでユーザによって操作部材１２２が操作されることで、表示装置１１５に無線ＬＡＮ設定メニューが表示され、ニックネームを設定することが可能である。
【００２８】
図３（ａ）に無線ＬＡＮ設定メニューを示す。この画面で無線ＬＡＮに関する各種設定のほか、ニックネームの設定が可能である。
【００２９】
３０１は、無線ＬＡＮの接続設定を行うメニューであり、無線ＬＡＮの接続に必要な各種パラメータ、撮像装置１００を無線ＬＡＮの親機、子機を選択する設定や、接続先の機器と接続、登録の指示を行うためのメニューである。３０２は接続／切断メニューであり、すでに登録されている内容で無線ＬＡＮの接続を指示するメニューである。すなわち、３０１の接続設定メニューで設定された各種パラメータや、接続先として登録された機器へは、３０２の接続／切断メニューから接続指示を行うことで可能となる。
【００３０】
３０３は、ニックネーム登録メニューであり、撮像装置１００のニックネームを設定・変更する指示を行うためのメニューである。ユーザによってニックネーム登録メニュー３０３が選択されると、ニックネーム登録メニューが表示される。
【００３１】
図３（ｂ）にニックネーム登録メニューの画面を示す。３０４はニックネーム表示部であり、現在の撮像装置１００のニックネームが表示される。３０５は英数文字を入力するためのソフトウェアキーボードで操作部材１２２によりカーソールを動かし任意の文字入力を指示する。ニックネーム入力が完了し３０６のＯＫが押下されるとニックネーム表示部３０４に入力された撮像装置１００のニックネームが不揮発性メモリ１１８に記憶される。本実施形では、ニックネームとして「Ｆａｍｉｌｙ  Ｃａｍｅｒａ」が設定されたとして説明を行う。３０７のキャンセルが押下されるとニックネームの登録を中止し、図３（ａ）の無線ＬＡＮ設定メニューに遷移する。
【００３２】
なお、ユーザの操作により無線ＬＡＮ設定メニューが選択され表示した時に、ニックネームが設定されていない場合には、図３（ｂ）の画面に遷移してニックネームを設定するように促すような構成としてもよい。
【００３３】
次に図４を用いて本実施形態における無線ＬＡＮの接続設定について説明する。
【００３４】
ユーザによって図３（ｂ）の接続設定メニュー３０１が選択されると、図４に示す接続設定メニューが表示される。まず、接続設定メニューに入ると図４（ａ）に示すように無線接続として撮像装置１００をアクセスポイントモード（４０１）として起動するか、撮像装置１００の周囲にあるアクセスポイント（不図示）に接続するインフラストラクチャ―モード（４０２）で起動するかを選択する無線ＬＡＮモード選択画面が表示さる。以降の実施形態は、アクセスポイントモード（４０１）が選択されているとして説明をする。
【００３５】
アクセスポイントモードが選択されている状態でＯＫ（４０３）が押下されると図４（ｂ）の設定選択画面が表示される。この画面では、無線ＬＡＮの接続に必要な各種パラメータがメインマイコン１２３により自動で設定される簡単設定モード（４０５）とユーザが任意の設定を行える手動設定モード（４０６）が選択可能である。本実施形では、簡単設定モード（４０５）が選択される場合について説明する。
【００３６】
また、画面には無線ＬＡＮの接続に必要な各種パラメータが自動で設定された内容が表示し、ＳＳＩＤには、図３で説明したようにユーザによって入力されたニックネーム「Ｆａｍｉｌｙ  Ｃａｍｅｒａ」がＳＳＩＤとして設定されて表示される（４０７）。なお、ここでユーザによってニックネームが登録されていない場合は、図３（ｂ）に遷移してニックネームを設定するように促すような構成としてもよい。
【００３７】
ユーザによりＯＫ（４０８）が押下されると、メインマイコン１２３の指示により撮像装置１００を４０７に示した内容で無線ＬＡＮのアクセスポイントとして動作するように無線通信回路１０２を起動する。そして図４（ｃ）に示す接続待機画面に遷移して、接続先である情報装置２００から撮像装置１００へ対して接続処理が行われるのを待機する。
【００３８】
情報装置２００からは、所定の操作によって無線ＬＡＮの接続を行うことになるが、その手法については機器によって異なるため、本実施形では詳細について説明は行わない。一例として図２（ｂ）に情報装置２００にて無線ネットワークを検索した結果が画面に表示されている状態を示す。ユーザは、この一覧の中から接続先を選択することで無線ＬＡＮの接続手続きが可能である。本実施形では、「Ｆａｍｉｌｙ  Ｃａｍｅｒａ」が撮像装置１００のＳＳＩＤとなるので、情報装置２００では「Ｆａｍｉｌｙ  Ｃａｍｅｒａ」の無線ネットワークを選択することで撮像装置１００ＬＡＮの接続手続きが出来ることになる。無線ＬＡＮの接続が完了後、情報装置２００で撮像装置１００に保存されている画像データを閲覧するための閲覧ソフトを起動することで、撮像装置１００とお互いの機器を接続先として登録する処理（この処理を「ペアリング」と呼ぶ）を行う。なお、ペアリングの処理の技術については既知であるので説明は省略する。
【００３９】
ペアリングが完了すると撮像装置１００は図４（ｄ）の画面に遷移して、情報装置２００との接続を完了する。
【００４０】
次に図５のフローチャートを用いて本実施形における無線ＬＡＮの接続設定のフローについて説明する。
【００４１】
先ず、ユーザの操作により接続設定メニューが選択されるとメインマイコン１２３は、無線ＬＡＮのモードとしてアクセスポイントモードが選択されたか否かを判断する（Ｓ５０１）。アクセスポイントモードが選択されたと判断するとメインマイコン１２３は表示装置１１５に設定選択画面を表示する（Ｓ５０２）。次にメインマイコン１２３は不揮発性メモリ１１８に記録されているニックネームを読み出す（Ｓ５０３）。読み出したニックネームから最大３２文字になるようにＳＳＩＤを生成し、無線通信回路１０２で使用するように設定する（Ｓ５０４）。なお、本実施形では、ニックネームに使用出来る英数文字はＳＳＩＤで使用可能な英数文字と同じになるように設定されている。また、ニックネームの文字数を３２文字以内に制限するようになっていてもよい。続いてメインマイコン１２３は、無線通信回路１０２で使用するチャネルを決定し暗号キーを生成し設定する（Ｓ５０５）。なお、チャネル決定と暗号キーの生成技術については既知であるので説明は省略する。次にメインマイコン１２３は簡単設定モードが選択されたか否かを判断する（Ｓ５０６）。簡単設定モードが選択されたと判断するとメインマイコン１２３は撮像装置１００を無線ＬＡＮのアクセスポイントとして動作するように無線通信回路１０２を制御し、表示装置１１５に接続待機画面を表示する（Ｓ５０７）。続いてメインマイコン１２３は接続先である情報装置２００と無線接続をしペアリングが完了するか否かを判断する（Ｓ５０８）。ペアリング接続が完了すると接続完了画面を表示して（Ｓ５０９）、一連の無線ＬＡＮの接続設定を終了する。
【００４２】
ステップＳ５０１でインフラストラクチャモードが選択されたと判断すると、ステップＳ５１０に進みインフラストラクチャモードに応じた無線ＬＡＮの接続設定を行う。インフラストラクチャモードでの無線ＬＡＮの接続設定としては、例えばアクセスポイントを検索した結果を表示装置１１５に表示し、ユーザ操作により任意のアクセスポイントを選択、接続処理を行うような処理である。なお、詳細については既知の技術である為、本実施形では説明を省略する。
【００４３】
ステップＳ５０６で手動接続モードが選択されたと判断すると、ステップＳ５１１に進みＳＳＩＤ、チャネル、暗号キー等の無線ＬＡＮの接続に必要な各種パラメータをユーザが操作部材１２２を用いて任意に設定することが可能な手動設定の処理に進む。なお、この時ＳＳＩＤとして簡単設定と同様にニックネームから生成したＳＳＩＤを初期値としてユーザに示すように構成してもよい。
【００４４】
なお、上記実施例においてニックネームである「Ｆａｍｉｌｙ  Ｃａｍｅｒａ」をＳＳＩＤとして使用するようにしたが、すでに他装置で使用されているとことを検出したら「Ｆａｍｉｌｙ  Ｃａｍｅｒａ」を変更する手段を設ける構成としてもよい。
【００４５】
以上述べたように、本実施形態では、撮像装置１００が無線ＬＡＮのアクセスポイントとして制御する場合、撮像装置１００を識別するために撮像装置１００に設定されたニックネームを無線ＬＡＮのネットワーク上の識別子であるＳＳＩＤでも使用可能な構成とした。この構成により、ユーザはＳＳＩＤを設定する必要がなく、また撮像装置１００と情報装置２００間で無線ＬＡＮ接続を行う際に、情報装置２００上で容易に目的のアクセスポイントである撮像装置１００を選択し、接続することが可能となる。
【００４６】
なお、本実施形態では、撮像装置がアクセスポイントとして動作する場合について説明したが、アドホックモードで撮像装置１００と情報装置２００が無線ＬＡＮの接続を行う場合にも適宜適応出来ることは言うまでもない。
【００４７】
以上、本発明の好ましい実施形態について説明したが、本発明はこれらの実施形態に限定されず、その要旨の範囲内で種々の変形及び変更が可能である。
【実施例２】
【００４８】
次に、本発明の撮像装置における第二の実施形態について説明する。なお、本実施形態における撮像装置１００の要部構成は、第一の実施形態と同様であるので説明を省略する。
【００４９】
本実施形態における撮像装置は、第一の実施形態で説明したＳＳＩＤの生成方法について変更したものであり、その相違について説明する。
【００５０】
図６（ａ）は、撮像装置１００にて撮影された画像データの構成の一例を示す図である。画像データ６００は、静止画、あるいは動画からなる画像データ本体６０１とメタデータ６０２を含んで構成される。
【００５１】
図６（ｂ）にメタデータの一例を示す。メタデータには、撮影日時、撮像装置１００の所有者を表すカメラ所有者名、画像データの著作権を示す著作権情報等が含まれる。
【００５２】
本実施形態では、カメラ所有者名や著作権情報等のデータは、ユーザが操作部材１２２を操作することで登録が可能である。
【００５３】
図７（ａ）に所有者情報、著作権情報の登録メニューを示す。
【００５４】
７０１は、カメラの所有名の登録を行うメニューであり、撮像装置１００の所有者名を登録・変更する指示を行うためのメニューである。７０２は著作権者名の登録するメニューであり、著作権者名を登録・変更する指示を行うためのメニューである。７０３は、著作権情報を登録・変更する指示を行うためのメニューである。ここで登録された情報は、撮像装置１００で撮影された画像データにメタデータとして付加される。
【００５５】
図７（ｂ）にカメラ所有者名の登録メニューの画面を示す。ユーザによってカメラ所有名入力メニュー７０１が選択されると、表示される。７０４はカメラ所有者名の表示部であり、現在の撮像装置１００のカメラ所有者名が表示される。７０５は英数文字を入力するためのソフトウェアキーボードで操作部材１２２によりカーソールを動かし任意の文字入力を指示する。カメラ所有者名の入力が完了し、７０６のＯＫが押下されるとカメラ所有者名の表示部７０４に入力されたカメラ所有者名が不揮発性メモリ１１８に記憶される。本実施形では、カメラ所有者名として「Ｔａｒｏ」が設定されたとして説明を行う。キャンセル７０７が押下された場合は、カメラ所有者名の登録を中止し、図７（ａ）の所有者情報、著作権情報の登録メニューに遷移する。
【００５６】
なお、著作権者名、著作権情報とカメラ所有者名の登録と同様の方法で、登録することが可能なように構成されている。
【００５７】
次に図８のフローチャートを用いて本実施形における無線ＬＡＮの接続設定のフローについて説明する。
【００５８】
先ず、ユーザの操作により接続設定メニューが選択されるとメインマイコン１２３は、無線ＬＡＮのモードとしてアクセスポイントモードが選択されたか否かを判断する（Ｓ８０１  ）。アクセスポイントモードが選択されたと判断するとメインマイコン１２３は表示装置１１５に設定選択画面を表示する（Ｓ８０２）。次にメインマイコン１２３は不揮発性メモリ１１８にカメラ所有者名が記憶されてか判断する（Ｓ８０３）。カメラ所有者名が記憶されていると判断すると、メインマイコン１２３は不揮発性メモリ１１８からカメラ所有者名を読み出す（Ｓ８０４）。読み出したカメラ所有者名から最大３２文字になるようにＳＳＩＤを生成し、無線通信回路１０２で使用するように設定する（Ｓ８０５）。なお、本実施形では、カメラ所有者名に使用出来る英数文字はＳＳＩＤで使用可能な英数文字と同じになるように設定されている。また、カメラ所有者名の文字数を３２文字以内に制限するようになっていてもよい。続いてメインマイコン１２３は、無線通信回路１０２で使用するチャネルを決定し暗号キーを生成し設定する（Ｓ８０６）。次にメインマイコン１２３は簡単設定モードが選択されたか否かを判断する（Ｓ８０７）。簡単設定モードが選択されたと判断するとメインマイコン１２３は撮像装置１００を無線ＬＡＮのアクセスポイントとして動作するように無線通信回路１０２を制御し、表示装置１１５に接続待機画面を表示する（Ｓ８０８）。続いてメインマイコン１２３は接続先である情報装置２００からの接続が完了するか否かを判断する（Ｓ８０９）。接続が完了すると接続完了画面を表示して（Ｓ８１０）、一連の無線ＬＡＮの接続設定を終了する。
【００５９】
ステップＳ８０３でメインマイコン１２３が不揮発性メモリ１１８にカメラ所有者名が記憶されていないと判断すると著作権者名が記憶されているか判断する（Ｓ８１２）。著作権者名が記憶されていると判断すると、メインマイコン１２３は不揮発性メモリ１１８から著作権者名を読み出す（Ｓ８１３）。読み出した著作権者名から最大３２文字になるようにＳＳＩＤを生成し・無線通信回路１０２で使用するように設定する（Ｓ８０５）。以下は同様である。ステップＳ８１２でメインマイコン１２３は著作権者名が記憶されていないと判断すると撮像装置１００の個体番号等からＳＳＩＤを生成する（Ｓ８０５）。なお、ユーザに任意のＳＳＩＤを設定させるように構成してもよい。
【００６０】
以下の説明をしていないＳ８１１、Ｓ８１４の処理フローは、第一の実施形態で説明した図５のフローチャートと同様であるので説明を省略する。
【００６１】
以上述べたように、本実施形態では、撮像装置１００が無線ＬＡＮのアクセスポイントとして制御する場合、撮像装置１００を識別するために撮像装置１００に設定されたカメラ所有者名、あるいは著作権者名を無線ＬＡＮのネットワーク上の識別子であるＳＳＩＤでも使用可能な構成とした。すなわち、通常は画像データにメタデータとして付加する目的でユーザが設定した情報からＳＳＩＤを生成する構成とした。これら情報はユーザが認識することが容易であり、またＳＳＩＤをあらためて設定する必要がないため、撮像装置１００と情報装置２００間で無線ＬＡＮ接続を行う際に、情報装置２００上で容易に目的のアクセスポイントである撮像装置１００を選択し、接続することが可能となる。
【００６２】
なお、本実施形態ではカメラ所有者名、著作権者名の両方を登録する構成としたがいずれか一方のみを登録可能な構成としても適宜適応出来ることは言うまでもない。
【００６３】
またユーザが上記情報以外にも撮像装置や、画像データを識別するために設定する情報をＳＳＩＤに利用する構成としても適宜適応出来ることは言うまでもない。
【００６４】
以上、本発明の好ましい実施形態について説明したが、本発明はこれらの実施形態に限定されず、その要旨の範囲内で種々の変形及び変更が可能である。
【符号の説明】
【００６５】
１００ 撮像装置
１０１ 無線アンテナ
１０２ 無線通信回路
１１１ 撮像センサ
１１５ ＴＦＴ表示装置
１１６ 記録媒体
１１７ ＤＲＡＭ
１１８ ＦＲＯＭ
１２２ 操作部材
１２３ マイクロコンピュータ
１２４ 画像処理エンジン
【図１】
2014023077.tif 000003
【図２】
2014023077.tif 000004
【図３】
2014023077.tif 000005
【図４】
2014023077.tif 000006
【図５】
2014023077.tif 000007
【図６】
2014023077.tif 000008
【図７】
2014023077.tif 000009
【図８】
2014023077.tif 000010